(57)【特許請求の範囲】
【請求項１】
一対の脚部（６ｂ、６ｂ）を頭部（６ａ）から二又に分岐した形状の務歯用線材（６）をカッティングダイ（１０）と共同してせん断する刃部（２１）であって前記カッティングダイ（１０）に対して相対的に第一の直線方向に摺動可能な前記刃部（２１）を備え、
前記刃部（２１）は、前記カッティングダイ（１０）に摺接する摺接面（２１ａ）と、前記摺接面（２１ａ）に対して交差する刃先端面（２１ｂ）とを備え、
前記刃先端面（２１ｂ）は、前記摺接面（２１ａ）に対して直交する第二の直線方向のうち前記カッティングダイ（１０）側から前記刃部（２１）側に向かう方向に供給された前記務歯用線材（６）を、その前記頭部（６ａ）側からせん断するせん断部（２２）を備え、
前記せん断部（２２）は、前記第一の直線方向に凹んだ凹形状であると共に、前記第二の直線方向のうち前記摺接面（２１ａ）側に位置するせん断本体部（２３）と、前記せん断本体部に隣接すると共に前記第二の直線方向のうち前記摺接面（２１ａ）から離隔した側に位置する隣接部（２４）とを備え、
前記せん断本体部（２３）は、前記務歯用線材（６）の外周面に衝突する衝突面として、前記頭部（６ａ）に衝突する頭部衝突面（２３ａ）と、一対の前記脚部（６ｂ、６ｂ）に衝突する一対の脚部衝突面（２３ｂ、２３ｂ）とを備え、
前記隣接部（２４）は、前記頭部衝突面（２３ａ）のうち凹形状の周方向の中央部から前記第二の直線方向に平滑に延長する平滑面（２５）と、前記平滑面（２５）に対して凹形状の周方向の両側において衝突面から段状に突出すると共に前記務歯用線材（６）の先端面を押さえる一対の押さえ部（２６，２６）とを備え、
一対の前記脚部衝突面（２３ｂ、２３ｂ）は、前記第二の直線方向から視て、一対の前記頭部衝突面（２３ａ）の延長方向（Ｌ）よりも外側に位置するもので、
一対の前記押さえ部（２６，２６）は、前記第二の直線方向から視て、前記頭部衝突面（２３ａ）と一対の前記脚部衝突面（２３ｂ、２３ｂ）との境界部分に対応する部分に位置する一対の境界部押さえ部（２６ｃ、２６ｃ）を備えることを特徴とするスライドファスナー用務歯成形装置のカッティングパンチ。
【請求項２】
前記平滑面（２５）は、前記第二の直線方向から視て、前記頭部衝突面（２３ａ）の周方向の中央部に対応する部分に位置し、
一対の前記押さえ部（２６，２６）は、前記頭部衝突面（２３ａ）の周方向の両側部に対応する部分に位置する一対の頭部押さえ部（２６ａ，２６ａ）を備えることを特徴とする請求項１に記載のスライドファスナー用務歯成形装置のカッティングパンチ。
【請求項３】
一対の前記頭部押さえ部（２６ａ，２６ａ）は、衝突面に対して突出する長さを、前記頭部衝突面（２３ａ）の周方向の中央部側から、周方向に離れるにつれて、長くしてあることを特徴とする請求項２に記載のスライドファスナー用務歯成形装置のカッティングパンチ。
【請求項４】
前記平滑面（２５）は、前記第二の直線方向から視て、前記頭部衝突面（２３ａ）の周方向の中央部に対応する部分に位置し、
一対の前記押さえ部（２６，２６）は、前記頭部衝突面（２３ａ）の周方向の両側部に位置する一対の前記頭部押さえ部（２６ａ，２６ａ）と、一対の前記脚部衝突面（２３ｂ、２３ｂ）に対応する部分に位置する一対の脚部押さえ部（２６ｂ，２６ｂ）とを備え、
衝突面に対して突出する長さに関して、一対の前記頭部押さえ部（２６ａ，２６ａ）よりも一対の前記脚部押さえ部（２６ｂ，２６ｂ）の方が長いことを特徴とする請求項２又は３に記載のスライドファスナー用務歯成形装置のカッティングパンチ。
【発明の詳細な説明】
【技術分野】
【０００１】
本発明は、務歯用線材をせん断加工するスライドファスナー用務歯成形装置において、そのせん断加工に用いられるカッティングパンチに関する。
【背景技術】
【０００２】
上記したスライドファスナー用務歯成形装置の一例として、務歯用線材をせん断加工するために、相対的に摺動可能なカッティングダイとカッティングパンチとを備えるものが存在する（特許文献１）。せん断加工は、カッティングダイ側からカッティングパンチ側へ向かって務歯用線材を供給し、務歯用線材の先端部に対してカッティングパンチを相対的に接近させて、務歯用線材の先端部をカッティングパンチとカッティングダイとの共同によってせん断し、務歯素材を製造するものである。
【０００３】
また特許文献１でのカッティングパンチは、カッティングダイに対する摺接面と、摺接面に対して交差する刃先端面とを備えている。刃先端面は、その幅中央部に、務歯用線材を、その頭部側からせん断するせん断部を備えている。そしてせん断部は、務歯用線材の外周面に衝突する凹形状であって、摺接面に対して直交する平滑な面となっている。
【０００４】
ところで特許文献１のカッティングパンチで務歯用線材をせん断すると、図８に示すように、カッティングパンチ９１の衝撃で、務歯用線材９２から切り離された務歯素材９３が塑性変形し、務歯素材９３の外周面側の厚みが厚くなる現象が生じた。
【０００５】
またこのような現象を抑制する従来のカッティングダイの他の例として、せん断部を段差状の面に形成したものが存在する（特許文献２）。より詳しくは、せん断部は、その部位として、摺接面側に位置するせん断本体部と、せん断本体部に隣接すると共に摺接面から離隔した側に位置する隣接部とを備えるものとし、せん断本体部の内面よりも隣接部を、凹形状の周方向の全周に亘って、凹形状の内側に向かって突出したものが知られている。
【先行技術文献】
【特許文献】
【０００６】
【特許文献１】中国特許出願公開１０３３８６４４８号明細書
【特許文献２】中国実用新案第２０４６８６１６８号明細書
【発明の概要】
【発明が解決しようとする課題】
【０００７】
しかしながら特許文献２のカッティングパンチは耐久性が不十分である。より詳しく言えば、特許文献２のカッティングパンチを使用していると、隣接部のうち務歯用線材の頭部側を押さえる部分が破損し易いこと、特に務歯用線材の頭部側を押さえる部分の中央部（凹形状の周方向の中央部）が破損し易いことに、本発明者は気づいた。これは、務歯用線材の先端部が塑性変形するときのせん断の衝撃は、務歯用線材の頭部側を押さえる部分の方が一対の脚部を押さえる部分に比べて大きいことを予想させるものである。
また、隣接部の破損状態によっては、その破損した部分の形状が、次回以降のせん断により務歯用線材の外周面に転写されることもあり、務歯用線材の品質が劣悪なものとなる。具体的に言えば、務歯用線材の品質が劣悪になる場合とは、たとえば隣接部が剥離し、それに伴ってその剥離部分に隣接する部分においてせん断本体部までが剥離したような場合である。
【０００８】
本発明は上記実情を考慮して創作されたもので、その目的はせん断加工によって形成される務歯素材の厚みをできる限り均一にすると共に、カッティングパンチの耐久性を向上させることである。
【課題を解決するための手段】
【０００９】
本発明のスライドファスナー用務歯成形装置のカッティングパンチは、一対の脚部を頭部から二又に分岐した形状の務歯用線材をカッティングダイと共同してせん断する刃部であってカッティングダイに対して相対的に第一の直線方向に摺動可能な刃部を備える。刃部は、カッティングダイに摺接する摺接面と、摺接面に対して交差する刃先端面とを備える。刃先端面は、摺接面に対して直交する第二の直線方向のうちカッティングダイ側から刃部側に向かう方向に供給された務歯用線材を、その頭部側からせん断するせん断部を備える。せん断部は、第一の直線方向に凹んだ凹形状であると共に、第二の直線方向のうち摺接面側に位置するせん断本体部と、せん断本体部に隣接すると共に第二の直線方向のうち摺接面から離隔した側に位置する隣接部とを備える。せん断本体部は、務歯用線材の外周面に衝突する衝突面として、頭部に衝突する頭部衝突面と、一対の脚部に衝突する一対の脚部衝突面とを備える。隣接部は、頭部衝突面のうち凹形状の周方向の中央部から第二の直線方向に平滑に延長する平滑面と、平滑面に対して凹形状の周方向の両側において衝突面から段状に突出すると共に務歯用線材の先端面を押さえる一対の押さえ部とを備え、一対の脚部衝突面は、第二の直線方向から視て、一対の頭部衝突面の延長方向よりも外側に位置するもので、一対の押さえ部は、第二の直線方向から視て、頭部衝突面と一対の脚部衝突面との境界部分に対応する部分に位置する一対の境界部押さえ部を備える。
【００１０】
また一対の押さえ部の位置は、平滑面との関係で特定されるものであり、平滑面に対して凹形状の周方向の両側であれば、どの部分であっても良いが、務歯用線材をせん断して形成された務歯素材の厚みをできるだけ均一にするには、以下の１）〜２）のようにすることが望ましい。
１）平滑面は、第二の直線方向から視て、頭部衝突面の周方向の中央部に対応する部分に位置し、一対の押さえ部は、頭部衝突面の周方向の両側部に対応する部分に位置する一対の頭部押さえ部を備えることである。
【００１１】
また一対の頭部押さえ部は、衝突面に対して突出する長さを問わないが、耐久性を向上させるには次のようにすることが望ましい。
すなわち一対の頭部押さえ部は、衝突面に対して突出する長さを、頭部衝突面の周方向の中央部側から、周方向に離れるにつれて、長くしてあることである。
【００１２】
２）平滑面は、第二の直線方向から視て、頭部衝突面の周方向の中央部に対応する部分に位置し、一対の押さえ部は、頭部衝突面の周方向の両側部に位置する一対の頭部押さえ部と、一対の脚部衝突面に対応する部分に位置する一対の脚部押さえ部とを備え、衝突面に対して突出する長さに関して、一対の頭部押さえ部よりも一対の脚部押さえ部の方が長いことである。
【発明の効果】
【００１３】
本発明のカッティングパンチによれば、隣接部のうち平滑面が、せん断本体部の頭部衝突面のうち凹形状の周方向の中央部から第二の直線方向に平滑に延長しているものなので、せん断のときの衝撃で平滑面やせん断本体部のうち平滑面の近傍が剥離するような事態は通常想定できず、そのうえで一対の押さえ部が、平滑面に対して凹形状の周方向の両側において衝突面から段状に突出しているので、せん断のときに務歯用線材の先端面を押さえることになり、一対の押さえ部の無いものに比べれば、務歯用線材の頭部が塑性変形する量を抑えることができ、その結果として、せん断加工によって形成される務歯素材の厚みができる限り均一になると共に、カッティングパンチの耐久性が向上する。また、本発明のカッティングパンチによれば、第二の直線方向から視て一対の脚部衝突面を一対の頭部衝突面の延長方向よりも外側に位置するようにしてあるので、せん断のときに務歯素材の中で脚部と頭部との境界部は一対の脚部よりも塑性変形しづらいので、塑性変形しづらい部分を強固に押さえることができ、それによって一対の押さえ部を破損しづらくし、カッティングパンチの耐久性を向上させられる。
【００１４】
また一対の頭部押さえ部を備えるカッティングパンチによれば、一対の頭部押さえ部が頭部衝突面の周方向の両側部に対応する部分に位置するので、せん断のときに務歯用線材の中で最も塑性変形し易い箇所の近傍を一対の頭部押さえ部が押さえることになり、その結果として、務歯素材の厚みができる限り均一になる。
【００１５】
また一対の頭部押さえ部が衝突面に対して突出する長さを、頭部衝突面の周方向の中央部側から、周方向に離れるにつれて長くしてあるカッティングパンチによれば、一対の頭部押さえ部の強度を高めつつ、塑性変形しづらい部分を強固に押さえることができ、それによって一対の頭部押さえ部を破損しづらくし、カッティングパンチの耐久性を向上させられる。
【００１６】
また一対の押さえ部が一対の頭部押さえ部と一対の脚部押さえ部とを備えるカッティングパンチによれば、衝突面に対して突出する長さに関して、一対の頭部押さえ部よりも一対の脚部押さえ部を長くしてあるので、塑性変形しづらい部分を強固に押さえることができ、それによって一対の押さえ部を破損しづらくし、カッティングパンチの耐久性を向上させられる。
【図面の簡単な説明】
【００１７】
【図１】本発明の第一実施形態のカッティングパンチを底面側から視た状態を示す斜視図である。
【図２】（イ）（ロ）（ハ）図は、第一実施形態のカッティングパンチを示す平面図、左側面図、底面図である。
【図３】（イ）（ロ）図は、第一実施形態のカッティングパンチを示す正面図、Ａ−Ａ線断面図である。
【図４】底面側から視た第一実施形態のカッティングパンチと務歯用線材の関係を示す説明図である。
【図５】第一実施形態のカッティングパンチの使用状態を示す断面図である。
【図６】スライドファスナー用務歯形成装置の一例を示す斜視図である。
【図７】スライドファスナー用務歯成形装置の一例を示す平面図である。
【図８】従来のカッティングパンチの使用状態を示す断面図である。
【発明を実施するための形態】
【００１８】
スライドファスナー用務歯形成装置で加工する務歯用線材６は例えば金属製で、図４に示すように、ほぼＹ字状の断面形状をしたもので、頭部６ａと、頭部６ａから二又に対称的に分岐する一対の脚部６ｂ，６ｂとを備えるものである。
【００１９】
図７は務歯形成装置の一例を真上から視た状態を示している。本発明の第一実施形態の務歯形成装置を説明するために、以下のように方向を規定する。３本の直交する直線の方向を、第一、第二、第三の直線方向と称する。また、理解の容易さを考慮して、第一の直線方向は前後方向と称し、図７の左右方向である。また前方向とは、図７の右方向であり、後方向とは図７の左方向である。第二の直線方向は上下方向と称し、図７の紙面に対して直交する方向である。また上方向とは、図７の紙面に対する直交方向のうち手前側を向く方向であり、下方向とは図７の紙面に対する直交方向のうち奥側を向く方向である。第三の直線方向は左右方向と称し、図７の上下方向である。また左方向とは図７の下方向であり、右方向とは図７の上方向である。
【００２０】
本発明の第一実施形態の務歯形成装置は図５〜７に示すように、務歯用線材６をせん断加工して務歯素材７を形成するせん断加工部２と、務歯素材７の頭部７ａに噛合凸部７ｃと噛合凹部７ｄとを成形する頭部加工部３と、噛合凸部７ｃと噛合凹部７ｄが形成された務歯素材７をファスナーテープ８に取り付ける取付加工部４とを備える。
【００２１】
せん断加工部２は、務歯用線材６を通すカッティングダイ１０と、カッティングダイ１０の後方に一直線に整列したラム１５と、務歯用線材６を上方に供給する務歯用線材供給装置（図示略）と、ラム１５とカッティングダイ１０に対して上側に配置されると共にラム１５とカッティングダイ１０に対して前後方向に相対的に摺動可能なカッティングパンチ２０とを備える。そしてせん断加工部２は、カッティングダイ１０とカッティングパンチ２０との共同によって、務歯用線材６の先端部（上端部）をせん断して務歯素材７を形成する。
【００２２】
ラム１５は、図示しないフレームに対して前後方向に直線往復動可能に取り付けられる。またラム１５は、前方向に開口すると共に上下方向に貫通する収容部１６を備え、収容部１６の奥側にカッティングダイ１０を収容すると共に、カッティングダイ１０の前方に頭部加工部３のフォーミングダイ３０を収容する。
【００２３】
カッティングダイ１０は、ラム１５の収容部１６の奥側に対して、その後部に収容されるスペーサ１１と、その前部に収容されるカッティングダイ本体１２とを備える。またスペーサ１１とカッティングダイ本体１２との間には務歯用線材６を挿通する線材挿通孔１３が形成される。線材挿通孔１３は、上下方向に貫通すると共に、務歯用線材６を前後方向および左右方向に移動不能に規制するもので、図示の例では務歯用線材６より僅かに大きなＹ字状の断面形状の孔としてある。
またカッティングダイ本体１２の上面１２ａとスペーサ１１の上面１１ａは、カッティングパンチ２０に対する摺接面であり、前後方向と左右方向に延長する平面である。またカッティングダイ本体１２の摺接面１２ａは、スペーサ１１の摺接面１１ａよりも高い位置に存在するもので、これはカッティングパンチ２０の形状に対応させたものである。
【００２４】
カッティングパンチ２０はフレームに固定される。またカッティングパンチ２０は図１〜７に示すように、前後方向に整列したラム１５とカッティングダイ１０に対して相対的に前後方向に摺動可能であると共に務歯用線材６をせん断する刃部２１と、刃部２１から下方に突出すると共に務歯用線材６をせん断前に先行的に凹ませて面取りする面取り刃部２８と、刃部２１の後部をフレームに固定するための固定部２９とを備える。
【００２５】
固定部２９は、刃部２１の後部から上方向に突出すると共に、前後方向に貫通する貫通穴２９ａを備えている。この貫通穴２９ａに図示しないボルトを挿通して、フレームにボルト止めする。
【００２６】
面取り刃部２８は、刃部２１の後部の下面の左右方向中央部であって且つ先端（前端）よりも後方から下方に突出するものであり、刃部２１よりも左右方向、前後方向の寸法の短い板状である。また面取り刃部２８は、板状の面取り刃本体部２８ａと、面取り刃本体部２８ａの前面から前方に突出すると共に務歯用線材７に押し付ける押付部２８ｂとを備える。押付部２８ｂは、側面視すると、上下方向中間部が最も前方に突出しており、それよりも上方および下方へ向かうにつれて後方に向かうように傾斜している。面取り刃部２８の下面２８ｃは、カッティングダイ１０（スペーサ１１）に摺接する摺接面で、前後方向と左右方向に延長する平面である。
【００２７】
刃部２１は、板状であって、その厚み方向に一致する上方向の面（上面）、下方向の面（下面）を備える。ラム１５側の面（下面）を、ラム１５とカッティングダイ１０（カッティングダイ本体１２）に摺接する摺接面２１ａとする。この摺接面２１ａは、図示の例では、前後方向と左右方向に延長する平面である。また刃部２１は、摺接面２１ａ（下面）、上面の他に、摺接面２１ａに対して交差すると共に前方向を向く刃先端面２１ｂを備える。
刃先端面２１ｂは、せん断するときに務歯用線材６が接近する方を向く面であって、左右方向の中央部には、務歯用線材６をその頭部６ａ側からせん断するせん断部２２を備える。
【００２８】
せん断部２２は、後方へ向かって凹んだ凹形状であると共に、その内側に内部空間を形成するものであり、その内部空間は、線材挿通孔１３の貫通方向でもある上下方向に貫通すると共に、せん断するときに務歯用線材６が相対的に接近する方向、つまり前方向に開口するものである。また、せん断部２２は、その部位として、上下方向のうち摺接面２１ａ側である下部２３と、摺接面２１ａから離隔した側である（下部２３の上端から上側の部分の）上部２４とを備える。下部２３は、せん断のときに務歯用線材６に衝突する部分であり、以後、せん断本体部２３と称する。また上部２４は、せん断本体部２３に隣接する部位なので、以後、隣接部２４と称する。
【００２９】
せん断本体部２３は、務歯用線材６の外周面（後面および左右側面）に衝突する衝突面２３であり、上下方向に平行な面である。またせん断本体部２３は、務歯用線材６の頭部６ａと一対の脚部６ｂ，６ｂに衝突するために後方へ向かって凹んだ凹形状であって、衝突面２３として、頭部６ａに衝突する頭部衝突面２３ａと、頭部衝突面２３ａに対して前方に位置すると共に一対の脚部６ｂ，６ｂに衝突する一対の脚部衝突面２３ｂ，２３ｂとを備える。
【００３０】
頭部衝突面２３ａは、下方から視て後方へ向かってＵ字状に凹んだ形状である。
一対の脚部衝突面２３ｂ，２３ｂは図４に示すように、後端（頭部衝突面２３ａの前端）から前端へ向かって左右の間隔Ｗを広げた形状であり、上下方向から視て、一対の頭部衝突面２３ａの延長方向Ｌよりも外側に位置するものである。詳しく言えば、一対の脚部衝突面２３ｂ，２３ｂは、左右方向に対して傾斜しており、その前端部２３ｃと、それよりも後側の部分２３ｄとで傾斜角度が相違している。その傾斜角度の相違により、一対の脚部衝突面２３ｂ，２３ｂの左右の間隔Ｗに関して前方に向かうにつれて間隔Ｗが広がる割合が、後側の部分２３ｄは、前端部２３ｃに比べて大きくなっている。
【００３１】
隣接部２４は、頭部衝突面２３ａのうち凹形状の周方向の中央部から上方に平滑に延長する平滑面２５と、平滑面２５に対して凹形状の周方向の両側において衝突面２３から段状に突出すると共に務歯用線材６の先端面（上端面）を押さえる一対の押さえ部２６，２６とを備える。
なお平滑面２５とは、別の言い方をするとすれば、上下方向に平行な頭部衝突面２３ａのうち周方向の中央部の上端部から上方に平行に延長する平らで滑らかな面のことであり、肉眼では凹凸の無い面のことを言う。したがってせん断部２２のうち凹形状の周方向の中央部は、平滑面２５と頭部衝突面２３ａとが上下方向に連続して延長する平らで滑らかな一つの面となっている。
【００３２】
一対の押さえ部２６，２６は左右対称的であり、頭部衝突面２３ａの周方向（Ｕ字状に沿う方向）の両側部に対応する部分に位置する一対の頭部押さえ部２６ａ，２６ａと、一対の脚部衝突面２３ｂ、２３ｂに対応する部分に位置する一対の脚部押さえ部２６ｂ，２６ｂと、頭部衝突面２３ａと一対の脚部衝突面２３ｂ，２３ｂとの境界部分に対応する部分を備える。言い換えれば左右の両方において頭部押さえ部２６ａと脚部押さえ部２６ｂの境界部分に位置する一対の境界部押さえ部２６ｃ，２６ｃを備える。また一対の押さえ部２６，２６は、その下面（務歯用線材６の先端面を押さえる面）および上面を前後左右方向に平行な水平面とすると共に、上下方向から視て凹形状の内部空間側を向く面を上下方向に平行な鉛直面とする。
【００３３】
頭部押さえ部２６ａは、頭部衝突面２３ａの周方向の側部に対応する部分に位置するので、ほぼ前後方向に平行に延長するものであり、衝突面２３に対して垂直に突出する長さを、頭部衝突面２３ａの周方向の中央部側（後端）から、周方向に離れるにつれて（前端へ向かうにつれて）、長くしてある。したがって頭部押さえ部２６ａのうち当該突出する長さが最大値となるのは、脚部押さえ部２６ｂ側の端（前端）である。より詳しくは、頭部押さえ部２６ａの突出状態は、上下方向から視たせん断本体部２３の凹形状よりも小さな相似形状を想定すると、頭部押さえ部２６ａの周方向の前端に向かうにつれて、より小さな相似形状に一致する位置に突出するものである。
【００３４】
脚部押さえ部２６ｂは、脚部衝突面２３ｂ、２３ｂに対応する部分に位置するので、前方に向かうにつれて凹形状の左右方向の中心から側方に離れるように傾斜しているものであり、衝突面２３に対して垂直に突出する長さを、凹形状の頭部衝突面２３ａ側（後端）から、周方向に離れるにつれて（前方に向かうにつれて）、長くしてある。したがって脚部押さえ部２６ｂのうち当該突出する長さが最短値となるのは、脚部押さえ部２６ｂのうち頭部押さえ部２６ａ側の端（後端）であり、これは、頭部押さえ部２６ａのうち脚部押さえ部２６ｂ側の端（前端）でもある。いっぽう当該突出する長さが最長値となるのは、一対の脚部押さえ部２６ｂ，２６ｂは、凹形状の周方向のうち両端（前端）であり、具体的な寸法の一例としては５ｍｍ（左右方向の寸法）である。また当該突出する長さに関して前方に向かうにつれて突出する割合が、脚部押さえ部２６ｂの前端部２６ｄは、それよりも後側部分に比べて、大きくなっている。
【００３５】
境界部押さえ部２６ｃは、上下方向から視て、凹形状の内側に向かって三角形状に突出するもので、周方向の両隣りに位置する頭部押さえ部２６ａおよび脚部押さえ部２６ｂよりも、衝突面２３に対して垂直に突出する長さを、長くしてある。境界部押さえ部２６ｃの前端が衝突面に対して突出する長さは、具体的な一例としては、１ｍｍ（左右方向の寸法）である。
【００３６】
上記したせん断加工部２は以下のようにして務歯用線材６をせん断する。
１）務歯用線材６が務歯素材７の１個の厚み分だけカッティングダイ本体１２の摺接面１２ａから上方に突出しているものとする。またこのときラム１５は、前進限の位置とする。
２）ラム１５が前進限の位置から後退する。ラム１５の後退に伴ってカッティングダイ１０とフォーミングダイ３０も一緒に後退するものとする。
３）ラム１５の後退中に、図５に示すようにカッティングパンチ２０のせん断本体部２３が務歯用線材６の上端部の後面に衝突し、カッティングダイ１０とカッティングパンチ２０とは共同して務歯用線材６の上端部をせん断し、務歯素材７が切り離される。
【００３７】
このせん断のときに、せん断本体部２３（衝突面）に務歯用線材６が衝突し、特に頭部６ａが厚み方向（上下方向に）に変形しようとする。しかし隣接部２４のうち一対の押さえ部２６，２６が、せん断のときに務歯用線材６の先端面（上端面）を押さえることになり、一対の押さえ部２６，２６の無いものに比べれば、務歯素材７の頭部７ａが塑性変形する量を抑えることができる。これらの結果として、せん断加工によって形成された務歯素材７の厚みができる限り均一になると共に、カッティングパンチ２０の耐久性が向上する。また一対の押さえ部は、せん断のときの衝撃で務歯用線材６が最も変形しようとする部分以外に形成してあるので、破損し難くなるし、平滑面２５やせん断本体部２３のうち平滑面２５の近傍が剥離するような事態は通常想定できない。
一対の押さえ部２６，２６による押さえ方をより詳しく言えば、（一）せん断のときに務歯用線材６の中で最も塑性変形し易い箇所ではなく、その近傍を一対の頭部押さえ部２６ａ，２６ａが押さえ、（二）一対の頭部押さえ部２６ａ，２６ａがせん断本体部（衝突面）２３に対して突出する長さを、頭部衝突面２３ａの周方向の中央部側から、周方向に離れるにつれて長くして、一対の頭部押さえ部２６ａ，２６ａの強度を高めつつ、塑性変形しづらい部分を強固に押さえ、（三）上下方向から視て一対の脚部衝突面２３ｂ、２３ｂを一対の頭部衝突面２３ａの延長方向よりも外側に位置するようにしてあるので、せん断のときに務歯用線材６の中で脚部６ｂと頭部６ａとの境界部は一対の脚部６ｂ、６ｂよりも塑性変形しづらくなり、一対の境界部押さえ部２６ｃ、２６ｃにより塑性変形しづらい部分を強固に押さえることになる。
【００３８】
頭部加工部３は図６に示すように、せん断加工部２の一部でもあるカッティングパンチ２０と、カッティングダイ１０に対して前方向に一直線に整列すると共にカッティングパンチ２０に対して前後方向に相対的に摺動可能であるフォーミングダイ３０と、カッティングパンチ２０に対して前方に離隔して配置されると共にフォーミングダイ３０に対して上下方向に往復動可能なフォーミングパンチ３２と、フォーミングパンチ３２に対して前方に離隔して配置されると共にフォーミングパンチ３２に対して上下方向に往復動可能なプレッシャパッド３４とを備える。そして頭部加工部３は、務歯素材７の頭部７ａをフォーミングダイ３０とフォーミングパンチ３２とが共同して塑性加工して噛合凸部と噛合凹部とを成形し、プレッシャパッド３４が塑性加工するときに務歯素材７の一対の脚部を押さえるものである。
【００３９】
フォーミングパンチ３２とプレッシャパッド３４はフレームに対して上下方向に直線往復動可能に取り付けられる。フォーミングダイ３０はフレームに対して前後方向に直線往復動可能に取り付けられる。またフォーミングダイ３０は図５に示すように、その上面にはカッティングパンチ２０に対する摺接面３０ａを備えると共に、その上面の前端部には下方に凹むと共に務歯素材７を収容する成形型部３１を備える。
【００４０】
上記した頭部加工部３は、せん断加工部２での３）の処理の後に、以下のようにして務歯素材７を塑性加工する。
４）せん断加工部２で務歯素材７を切り離した後に、ラム１５がさら後退すると、務歯素材７はカッティングパンチ２０のせん断部２２に接触したまま押し出される。
５）ラム１５が後退限の位置に達すると、務歯素材７はフォーミングダイ３０の成形型部３１の真上に達する。このとき、カッティングパンチ２０の押付部２８ｂが務歯用線材６に衝突し、務歯用線材６が凹む。この凹みによって、せん断加工で形成される予定の務歯素材７となる下面、上面を面取りされ、凹んだ部分のうち最も深い部分が、務歯用線材６の上端から務歯素材１個分の厚みの位置となる。続いて成形型部３１の上方からフォーミングパンチ３２とプレッシャパッド３４が下降して、プレッシャパッド３４が一対の脚部７ｂ，７ｂを規制すると共に、フォーミングパンチ３２が務歯素材７の頭部７ａを成形型部３１の底面へ向かって押し込み、頭部７ａには噛合凸部７ｃと噛合凹部７ｄが形成される。なおフォーミングパンチ３２、プレッシャパッド３４は、カッティングパンチ２０の一対の押さえ部２６，２６には接触しない。
６）フォーミングパンチ３２とプレッシャパッド３４が上昇する
【００４１】
取付加工部４は図５，６に示すように、頭部加工部３の一部でもあるフォーミングダイ３０と、フォーミングダイ３０に対して前方においてファスナーテープ８を上方向に間欠的に供給する図示しないテープ供給装置と、フォーミングダイ３０に対して上方において左右方向に間隔をあけて配置されると共に噛合凸部７ｃと噛合凹部７ｄとが成形された務歯素材７に対してその一対の脚部７ｂ，７ｂを挟んでファスナーテープ８に固定する一対のサイドパンチ４０，４０とを備える。
【００４２】
取付加工部４は、頭部加工部３での６）の処理の後に、以下のようにして務歯素材７をファスナーテープ８に取り付ける。
７）頭部加工部３での６）の処理、つまりフォーミングパンチ３２とプレッシャパッド３４が上昇する処理と相前後して、ラム１５が前進し、カッティングダイ１０とフォーミングダイ３０とを前進させ、フォーミングダイ３０の前端部をファスナーテープ８に接近させる。ラム１５が前進限の位置に達する。またラム１５が前進限の位置のとき、成形型部３１内に収容された務歯素材７の一対の脚部７ｂ，７ｂがファスナーテープ８の左右両側に配置され、一対のサイドパンチ４０，４０が一対の脚部７ｂ，７ｂの左右外側に配置されている。
８）一対のサイドパンチ４０，４０が一対の脚部７ｂ，７ｂをその左右の間隔を狭めるように押し込んで、一対の脚部７ｂ，７ｂの間にファスナーテープ８が挟持される。
９）ファスナーテープ８が所定長さだけ上昇し、停止する。
１０）７）のようにラム１５が前進すると、カッティングパンチ２０のせん断部２２は務歯素材７から離れ、ラム１５が前進限に達すると、せん断部２２の前方には務歯用線材６が供給可能となる。そして図示しない線材供給装置が務歯用線材６を務歯素材１個分の厚みだけカッティングダイ本体１２の摺接面１２ａよりも上方に供給する。そうするとせん断加工部２での１）の状態に戻る。
１１）以後２）から１０）を繰り返すことにより、務歯素材７がファスナーテープ８に取り付けられる。
【００４３】
本発明は上記実施形態に限定されるものではなく、その趣旨を逸脱しない範囲において適宜変更可能である。
たとえばスライドファスナー用務歯成形装置１は、上記実施形態では、せん断加工部２と頭部加工部３と取付加工部４とを備えるものであったが、本発明ではこれに限らず、せん断加工部のみを備えるものであっても良いし、せん断加工部と頭部加工部を備えるもの（取付加工部を備えないもの）であっても良い。
またスライドファスナー用務歯成形装置１は、上記実施形態では、ラム１５、カッティングダイ１０、フォーミングダイ３０をまとめて直線往復動可能にし、それによってせん断加工部２と頭部加工部３と取付加工部４とを第一の直線方向に順番に備えるものであったが、本発明ではこれに限らず、頭部加工部と取付加工部は、せん断加工部に対して第一の直線方向から外れた場所に備えるものであっても良い。
【符号の説明】
【００４４】
１  務歯成形装置
２  せん断加工部
６  務歯用線材
６ａ  頭部
６ｂ  脚部
７  務歯素材
７ａ  頭部
７ｂ  脚部
７ｃ  噛合凸部
７ｄ  噛合凹部
８  ファスナーテープ
１０  カッティングダイ
１１  スペーサ
１１ａ  摺接面
１２  カッティングダイ本体
１２ａ  摺接面
１３  線材挿通孔
１５  ラム
１６  収容部
２０  カッティングパンチ
２１  刃部
２１ａ  摺接面
２１ｂ  刃先端面
２２  せん断部
２３  せん断本体部（衝突面）
２３ａ  頭部衝突面
Ｌ  頭部衝突面の延長方向
２３ｂ  脚部衝突面
２３ｃ  前端部
２３ｄ  後側の部分
Ｗ  一対の脚部衝突面の左右の間隔
２４  隣接部
２５  平滑面
２６  押さえ部
２６ａ  頭部押さえ部
２６ｂ  脚部押さえ部
２６ｃ  境界部押さえ部
２６ｄ  脚部押さえ部の前端部
２８  面取り刃部
２８ａ  面取り刃本体部
２８ｂ  押付部
２８ｃ  摺接面
２９  固定部
２９ａ  貫通穴
３  頭部加工部
３０  フォーミングダイ
３０ａ  摺接面
３１  成形型部
３２  フォーミングパンチ
３４  プレッシャパッド
４  取付加工部
４０サイドパンチ
９１  カッティングパンチ
９２  務歯用線材
９３  務歯素材
【図１】
0006666777.tif 000002
【図２】
0006666777.tif 000003
【図３】
0006666777.tif 000004
【図４】
0006666777.tif 000005
【図５】
0006666777.tif 000006
【図６】
0006666777.tif 000007
【図７】
0006666777.tif 000008
【図８】
0006666777.tif 000009